(57)【要約】【課題】  リアルタイムに、かつ、各個人に適した態様で、旅程中の自己の現在地に関する情報を提供する。【解決手段】  ネットワークに接続可能な携帯電話端末等のユーザ端末１において、所定のタイミングで、少なくとも自機が位置する交通機関上の区間の端部（駅、停留所等）の情報を含んだ旅客位置情報を出力する構成を提供する。更に、ユーザ端末１は、ユーザが予め設定した条件で、着信音やバイブレータ等の報知手段により、目的地への接近通知を行ない、ユーザ居眠り等による乗り過ごしを防止する。【選択図】  図１
2005215876.tif 000002
【特許請求の範囲】
【請求項１】
所定の時間間隔で、自機の位置情報を取得する位置情報取得手段と、
携帯情報端末の位置情報から該携帯情報端末のユーザが利用中の交通機関を判定する手段と、を備える携帯情報端末であって、
予め定められた入力がなされると、旅客位置情報提供モードに移行し、
前記自機の位置情報に基いて、自機が位置する交通機関の路線上の区間を自動判定し、
所定のタイミングで、少なくとも前記区間を構成する地点名情報を含んだ旅客位置情報を繰り返し出力すること、
を特徴とする携帯情報端末。
【請求項２】
所定の時間間隔で、自機の位置情報を取得する位置情報取得手段と、
旅程の目的地情報を入力する手段と、
携帯情報端末の位置情報から該携帯情報端末のユーザが利用中の交通機関を判定する手段と、を備える携帯情報端末であって、
予め定められた入力がなされると、旅客位置情報提供モードに移行し、旅程の目的地情報を入力し、
前記自機の位置情報と前記目的地情報に基いて、自機が位置する交通機関の路線上の区間を自動判定し、
所定のタイミングで、少なくとも前記区間を構成する地点名情報を含んだ旅客位置情報を繰り返し出力すること、
を特徴とする携帯情報端末。
【請求項３】
請求項２に記載の携帯情報端末であって、
各交通機関の少なくとも各区間の所要時間を含む路線情報を記憶保持する手段を備え、
前記目的地までの所要時間と現在時刻とに基いた、前記目的地への到着予定時刻を算出して、出力し、更に、
前記目的地と前記自機位置情報との関係が、所定の条件を満たした場合に、所定の到着予告動作を実行すること、
を特徴とする携帯情報端末。
【請求項４】
請求項３に記載の携帯情報端末であって、更に、
前記位置情報の変化に基いて、自機の移動加速度を算出する手段を備え、
前記目的地と前記自機位置情報と前記自機の移動加速度が、所定のしきい値を下回った場合に、予め定める第２種の到着予告動作を実行すること、
を特徴とする携帯情報端末。
【請求項５】
携帯情報端末の位置情報から該携帯情報端末が位置する前記交通機関の路線上の区間を判定する手段を備える旅客情報提供サーバに接続する携帯情報端末であって、
自機の位置情報を取得する位置情報取得手段を備え、
予め定められた入力がなされると、旅客位置情報提供モードに移行し、
所定の時間間隔で、前記位置情報取得手段から取得した自機の位置情報と前記目的地情報を前記旅客情報サーバに対して送信し、自機が位置する交通機関の路線上の区間の判定結果を受信し、
少なくとも前記判定された交通機関の路線上の区間情報と繰り返し取得する自機の位置情報に基いて、所定のタイミングで、少なくとも前記区間を構成する地点名情報を含んだ旅客位置情報を繰り返し出力すること、
を特徴とする携帯情報端末。
【請求項６】
携帯情報端末の位置及び目的地から該携帯情報端末が位置する交通機関の路線上の区間を判定する手段を備える旅客情報提供サーバに接続する携帯情報端末であって、
自機の位置情報を取得する位置情報取得手段と、
旅程の目的地情報を入力する手段と、を備え、
予め定められた入力がなされると、旅客位置情報提供モードに移行し、旅程の目的地情報を入力し、
所定の時間間隔で、前記位置情報取得手段から取得した自機の位置情報と前記目的地情報を前記旅客情報サーバに対して送信し、自機が位置する交通機関の路線上の区間の判定結果を受信し、
少なくとも前記判定された交通機関の路線上の区間情報と繰り返し取得する自機の位置情報に基いて、所定のタイミングで、少なくとも前記区間を構成する地点名情報を含んだ旅客位置情報を繰り返し出力すること、
を特徴とする携帯情報端末。
【請求項７】
請求項６に記載の携帯情報端末であって、
各交通機関の少なくとも各区間の所要時間を含む路線情報を記憶保持するサーバに接続され、
前記路線情報を記憶保持するサーバに対して、前記目的地までの所要時間と現在時刻とに基いた、前記目的地への到着予定時刻を照会して、出力し、更に、
前記目的地と前記自機位置情報との関係が、所定の条件を満たした場合に、所定の到着予告動作を実行すること、
を特徴とする携帯情報端末。
【請求項８】
請求項７に記載の携帯情報端末であって、更に、
前記位置情報の変化に基いて、自機の移動加速度を算出する手段を備え、
前記目的地と前記自機位置情報と前記自機の移動加速度が、所定のしきい値を下回った場合に、予め定める第２種の到着予告動作を実行すること、
を特徴とする携帯情報端末。
【請求項９】
所定の時間間隔で各携帯情報端末の位置情報を取得する位置情報取得手段と、前記携帯情報端末の位置情報から該携帯情報端末が位置する交通機関の路線上の区間を判定する手段と、前記区間に対応する旅客位置情報を生成し、送信する旅客位置情報配信手段を備える旅客情報提供サーバに接続する携帯情報端末であって、
予め定められた入力がなされると、旅客位置情報提供モードに移行し、
所定の時間間隔で、前記旅客情報提供サーバに対して、前記旅客位置情報を要求し、
所定のタイミングで、前記旅客位置情報を繰り返し出力すること、
を特徴とする携帯情報端末。
【請求項１０】
所定の時間間隔で各携帯情報端末の位置情報を取得する位置情報取得手段と、該携帯情報端末の位置と目的地から該携帯情報端末が位置する交通機関の路線上の区間を判定する手段と、前記区間情報に対応する旅客位置情報を生成し、送信する旅客位置情報配信手段を備える旅客情報提供サーバに接続する携帯情報端末であって、
旅程の目的地情報を入力する手段を備え、
予め定められた入力がなされると、旅客位置情報提供モードに移行し、旅程の目的地情報を入力し、
前記旅客情報提供サーバに対して、前記目的地情報を送信し、
所定の時間間隔で、前記旅客情報提供サーバに対して、前記旅客位置情報を要求し、
所定のタイミングで、前記旅客位置情報を繰り返し出力すること、
を特徴とする携帯情報端末。
【請求項１１】
請求項１０に記載の携帯情報端末であって、
前記交通機関の少なくとも各区間の所要時間を含む路線情報を記憶保持するサーバに接続され、
前記路線情報を記憶保持するサーバに対して、前記判定した交通機関による前記目的地までの所要時間と現在時刻とに基いた、前記目的地への到着予定時刻を照会して、出力し、更に、
前記目的地と前記自機位置情報との関係が、所定の条件を満たした場合に、所定の到着予告動作を実行すること、
を特徴とする携帯情報端末。
【請求項１２】
請求項１１に記載の携帯情報端末であって、
前記位置情報の変化に基いて、自機の移動加速度を算出する手段を備え、
前記目的地と前記自機位置情報と前記自機の移動加速度が、所定のしきい値を下回った場合に、予め定める第２種の到着予告動作を実行すること、
を特徴とする携帯情報端末。
【請求項１３】
請求項１乃至１２いずれか一に記載の携帯情報端末であって、
少なくとも前記旅客位置情報を予め定められた他の端末に対して送信すること、
を特徴とする携帯情報端末。
【請求項１４】
請求項１乃至１３いずれか一に記載の携帯情報端末であって、
ディスプレイ上に、前記旅客位置情報提供モード下で位置情報を出力する旅客位置情報表示領域を有し、
少なくとも前記旅客位置情報を前記旅客位置情報表示領域に出力すること、
を特徴とする携帯情報端末。
【請求項１５】
請求項１乃至１４いずれか一に記載の携帯情報端末であって、
所定の広告サーバから広告コンテンツを受信し、
前記旅客位置情報に加えて、前記広告コンテンツを出力すること、
を特徴とする携帯情報端末。
【請求項１６】
請求項１乃至１５いずれか一に記載の携帯情報端末であって、
前記自機位置情報を含むユーザの属性情報を入力し、所定の広告サーバに送信し、
前記広告サーバから自機ユーザの属性に適合した広告コンテンツを受信し、前記旅客位置情報に加えて、前記広告コンテンツを出力すること、
を特徴とする携帯情報端末。
【請求項１７】
請求項１乃至４いずれか一に記載の携帯情報端末と、
前記携帯情報端末から送信される携帯情報端末の位置情報を含む属性情報に応じて、前記携帯情報端末に対して、前記旅客位置情報と併せて表示すべきコンテンツを配信するコンテンツサーバと、
をネットワークを介して接続してなる旅客位置情報システム。
【請求項１８】
少なくとも携帯情報端末の位置情報から該携帯情報端末が位置する交通機関の路線上の区間を判定する手段を備える旅客情報提供サーバと、
請求項５乃至８いずれか一に記載の携帯情報端末と、
前記旅客情報提供サーバ又は携帯情報端末から送信される携帯情報端末の位置情報を含む属性情報に応じて、前記携帯情報端末に対して前記旅客位置情報と併せて表示すべきコンテンツを配信するコンテンツサーバと、
をネットワークを介して接続してなる旅客位置情報システム。
【請求項１９】
携帯情報端末の位置情報取得手段と、該携帯情報端末の位置情報から該携帯情報端末が位置する交通機関の路線上の区間を判定する手段と、前記区間に対応する旅客位置情報を生成し、送信する旅客位置情報配信手段を備える旅客情報提供サーバと、
請求項９乃至１２いずれか一に記載の携帯情報端末と、
前記旅客情報提供サーバ又は携帯情報端末から送信される携帯情報端末の位置情報を含む属性情報に応じて、前記携帯情報端末に対して前記旅客位置情報と併せて表示すべきコンテンツを配信するコンテンツサーバと、
をネットワークを介して接続してなる旅客位置情報システム。
【請求項２０】
少なくとも携帯情報端末の位置情報から該携帯情報端末が位置する交通機関の路線上の区間を判定する手段と、
請求項５乃至８、１３乃至１６いずれか一に記載の携帯情報端末に対して、各携帯情報端末が位置する交通機関の路線上の区間の判定結果を送信する手段と、を備えたこと
を特徴とする旅客情報提供サーバ。
【請求項２１】
各携帯情報端末の位置情報取得手段と、
少なくとも携帯情報端末の位置情報から該携帯情報端末が位置する交通機関の路線上の区間を判定する手段と、
請求項９乃至１６いずれか一に記載の携帯情報端末からの要求に応じて、前記区間情報に対応する旅客位置情報を生成し、送信する旅客位置情報配信手段と、を備えたこと
を特徴とする旅客情報提供サーバ。
【発明の詳細な説明】
【技術分野】
【０００１】
本発明は、旅客位置情報システム及びこれに用いる携帯情報端末に関する。
【背景技術】
【０００２】
交通機関等の利用客に対する案内サービスとして、従来の車内アナウンスや路線毎に特定の色を取り決めて、駅や停留所に、当該色を基調とした図形中に駅の番号等を表示して、利用客が一見して所在地を確認できるようにする試みに加えて、案内用に車内に設置する電光掲示板が広く普及している。特に近年、広視野角の薄型ディスプレイの普及と相俟って、より充実した内容を提供することが可能となっており、車内が混雑している場合や聴覚等が不自由である者にも配慮可能であるとして、旅客運輸業者間で、盛んに競争・差別化が試みられている。
【０００３】
また、不慣れな土地における交通機関や利用経験の少ない交通機関を利用する利用者が、降車場所や所要時間・運賃に気を取られがちになったり、不安に駆られたりすることがあり、これらの結果として、車内での貴重な時間を快適に過ごせないこともある。更には、よく利用する交通機関を利用する場合であっても、読書やメールの作成に集中していたり、同乗者との会話に興じていたりして、停車駅ホームの表示や外の風景を確認することができずに、降車地を乗り過ごしてしまう場合もある。
【０００４】
そこで、携帯電話等の個人携帯情報端末を利用して、利用客に対する案内を行う方式も各種提案されている。例えば、特開２００２−３００６３４号公報には、鉄道利用客向けのシステムであって、利用者の通信端末側で予め着信条件等を、電車の情報処理システムを介して、通信網サーバに対して送信・登録しておき、通信端末の位置と電車の位置が、前記着信条件に該当することとなった場合に、着信通知信号を受けられるようにした移動通信端末通知システムが紹介されている。また、特開２００２−１１４１４９号公報には、交通機関の路線ネットワークデータベース、交通機関ルート検索サーバ、交通機関ルート誘導サーバとを連係させて、当該交通機関利用者に対して、案内を行うとした装置が紹介されている。
【０００５】
【特許文献１】特開２００２−３００６３４号公報
【特許文献２】特開２００２−１１４１４９号公報
【発明の開示】
【発明が解決しようとする課題】
【０００６】
しかしながら、上記した個人携帯情報端末を利用する方式では、その都度、着信条件等の設定を行うことが必要であることから、通勤・通学等日常的に利用する交通機関で利用する場合には、設定自体は一度で済むが、一度設定したのちには、着信動作や案内が否応なく作動・通知されてしまうことになり、繰り返し使用する内にその効果が半減するおそれもある。また、着信動作を知らせる着信音がオフにされている場合、或いは、案内等が聞き逃されてしまった場合には、上記した利用者の不安や乗り過ごしが発生しうることに変わりはない。
【０００７】
また、上記した特開２００２−３００６３４号公報のように、利用者の通信端末側で予め着信条件等を設定するまでもなく、各自が利用し易い形で、旅程中の現在地に関する情報を享受することができれば、乗降等に時間を要する乗客、荷物が多い・乳幼児を連れている乗客にとって、乗降に要する時間の確保が容易となり、また、交通機関の利用に対する不安を取り除くことともなる。
【０００８】
利用者に対して、リアルタイムに、より好ましくは各人が置かれた状況に応じた態様で、旅程中の自己の現在地に関する情報を提供することができれば、至便であり、また、車内での手持無沙汰の解消にも資することができる。本発明は、上記した観点からなされたものであって、利用者に、リアルタイムに、旅程中の自己の位置情報を、各人が置かれた状況に応じて好ましい態様で提供することのできる旅客位置情報システム及びこれに用いる携帯情報端末、サーバ装置を提供することにある。
【課題を解決するための手段】
【０００９】
前記課題を解決するための手段を提供する本発明の第１の視点によれば、携帯情報端末を利用した旅客位置情報システム及び本システムに使用する携帯情報端末等の装置が提供される。まず、携帯情報端末からアクセス可能なサーバ装置に、携帯情報端末の位置情報から該携帯情報端末の位置する交通機関の路線上の区間を判定する手段を備える。携帯情報端末は、ＧＰＳ、局情報等により、自機の位置情報を取得する位置情報取得手段を備える。予め定められた入力（所定ボタン等の操作、外部からの入力）がなされると、携帯情報端末は、旅客位置情報提供モードに移行し、所定の時間間隔で、前記位置情報取得手段から取得した自機の位置情報と前記目的地情報を前記旅客情報サーバに対して送信する。前記旅客情報サーバは、前記位置情報を送信したユーザ端末が位置する交通機関の路線上の区間の判定結果を送信する。続いて、携帯情報端末は、少なくとも前記判定された区間情報と繰り返し取得する自機の位置情報に基いて、自機の移動間隔や一定時間経過等、適宜定める所定のタイミングで、少なくとも前記区間を構成する地点名情報を含んだ旅客位置情報を出力する。
【００１０】
また、本発明の第２の視点によれば、携帯情報端末側の位置情報取得手段に代えて、網側で、位置情報を取得し、前記サーバ装置が各携帯情報端末が位置する交通機関の路線上の区間を判定し、前記旅客位置情報を配信する旅客位置情報システム及び本システムに使用する携帯情報端末等の装置が提供される。
【発明の効果】
【００１１】
本発明によれば、リアルタイムかつ好ましい態様で、旅程中の自己の現在地に関する情報を提供することが可能となる。
【発明を実施するための最良の形態】
【００１２】
続いて、本発明のその好ましい実施の形態について説明する。本発明に係る旅客位置情報システムは、携帯電話機、ＰＤＡ（Personal  Digital  Assistant）等の携帯可能なユーザ端末（図１の１）と、プレゼンスサーバとして機能する旅客情報提供サーバ（図１の２）と、ユーザ端末（図１の１）の位置情報を提供する位置情報サーバ（図１の３）と、アプリケーションを配布する配信サーバ（図１の４）と、から構成される。
【００１３】
ユーザ端末（図１の１）は、Ｊａｖａ（登録商標）等で作成されたアプリケーションの実行機能及びインターネット等の通信ネットワーク（図１の５）への接続機能を備える携帯情報端末である。旅客情報提供サーバ（図１の２）は、ユーザ端末（図１の１）の位置情報から、ユーザ端末が位置する交通機関の路線上の区間を判定する区間判定処理部と、ユーザ端末（図１の１）に対して、後述する所定のタイミングで、少なくとも前記区間を構成する地点名情報（駅名、停留所名、ランドマーク等）を含む携帯情報端末の旅客位置情報を配信する旅客位置情報配信部とを備えている。
【００１４】
位置情報サーバ（図１の３）は、ＧＰＳ（Global  Positioning  Satellite/System）、ユーザ端末（図１の１）の基地局情報等により、各ユーザ端末（図１の１）の位置情報を旅客情報提供サーバ（図１の２）に送信する位置情報取得部を備えている。
【００１５】
配信サーバ（図１の４）は、ユーザ端末（図１の１）からの要求に応じて、各種のアプリケーションやファイルを配信する配信部を備えるサーバである。本実施の形態に係る配信サーバ（図１の４）は、旅客情報提供サーバ（図１の２）に対するクライアントプログラムとなるＪａｖａ（登録商標）等で作成された着信待機時に動作するアプリケーション（いわゆる待受アプリケーションを指し、以下、待受アプリケーションともいう）をユーザ端末（図１の１）を配信するものとして説明する。
【００１６】
続いて、本実施の形態の動作について説明する。まず、ユーザ端末（図１の１）は、ユーザの操作を受けて、ネットワーク（図１の５）への接続機能を利用して、配信サーバ（図１の４）にアクセスし、旅客位置情報の提供用の待受アプリケーションをダウンロードする。
【００１７】
続いて、ユーザ端末（図１の１）は、例えば、所定のボタンの長押し、機能選択等、予め定められたユーザからの操作を受けて、待受アプリケーションを起動し、旅客位置情報提供モードに移行し、目的地の入力を受け付ける。目的地の入力後、待受アプリケーションは、例えば数秒／数分間隔等、予め設定した時間毎に、旅客情報提供サーバ（図１の２）にアクセスする処理を開始する。
【００１８】
旅客情報提供サーバ（図１の２）は、アクセスを受けたユーザ端末（図１の１）の所在する位置情報（GPSによる緯度・経度情報、簡易携帯電話網における基地局情報、携帯電話網のエリアコード、移動パケット通信網のセクタ情報等）を位置情報サーバ（図１の３）に対して、問い合わせる。続いて、旅客情報提供サーバ（図１の２）は、区間判定処理部を利用して、位置情報サーバ（図１の３）から送信された位置情報に基いて、例えば、位置情報と、ユーザ端末（図１の１）の所在する交通機関の路線上の区間情報を対応付けて格納した座標テーブルや座標マップを参照して、交通機関の路線上の区間を判定する。
【００１９】
旅客情報提供サーバ（図１の２）は、前記判定した区間情報と、位置情報サーバ（図１の３）から送信された位置情報とをユーザ端末（図１の１）に対して送信する。
【００２０】
ユーザ端末（図１の１）は、待受アプリケーションによって、前記受信した区間情報と、位置情報とに基いて、少なくとも前記区間を構成する地点の名称を含んだ旅客位置情報１ａを生成し、ディスプレイに表示する。このとき、ユーザ端末（図１の１）は、ユーザにより設定された旅客位置情報の受信時動作の定義に基いて、バイブレータ等で知らせるものとしても良い。
【００２１】
ユーザ端末（図１の１）は、目的地に接近するまで、上記動作を繰り返し、旅客位置情報を、所定のタイミングで更新する。そして、待受アプリケーションの起動時に登録された目的地に接近した場合、即ち、ユーザ端末（図１の１）の現在地と目的地とが所定の関係を満たすに到った場合、ユーザ端末（図１の１）は、ディスプレイへの映像の表示、バイブレータの起動、音声の出力等により、ユーザに報知する。
【００２２】
更に追加の機能として、ユーザ端末（図１の１）において実行される待受アプリケーションに、位置（情報）の変化から移動加速度を算出する機能を備えることも可能である。この場合、ユーザ端末（図１の１）は、例えば、列車などが駅（到着駅）に進入の際の減速による加速度の変化を検知して、より適切なタイミングで、ディスプレイへの映像の表示、バイブレータの起動、音声の出力等によりユーザに報知することが可能となる。
【実施例１】
【００２３】
続いて、本発明の第１の実施例について、図面を参照して、詳細に説明する。図１は、本実施例のシステム構成を表した図である。図１を参照すると、携帯情報端末として機能するユーザ端末１と、旅客情報提供サーバ２と、位置情報サーバ３と、配信サーバ４と、がネットワーク５を介して、接続されている。
【００２４】
ユーザ端末１は、図示しないＣＰＵを含む制御部と、音声通話、データ送受信、ネットワーク５への接続を行う無線通信部と、ボタン、ディスプレイ、スピーカ、バイブレータ等の入出力部と、前記制御部で実行されるプログラム・データ等を格納する記憶部と、を備える携帯電話端末である。本実施例では、ユーザ端末１は、Ｊａｖａ（登録商標）で作成されたアプリケーションの実行機能を備えるものとする。
【００２５】
旅客情報提供サーバ２は、ユーザ端末１の位置情報を位置情報サーバ３に照会して取得する位置情報取得部と、ユーザ端末１の位置情報から、ユーザが位置する交通機関の路線上の区間を判定する区間判定処理部と、ユーザ端末１に対して、旅客位置情報を配信する旅客位置情報配信部とを備えるサーバ装置である。これら図示しない位置情報取得部、区間判定処理部、旅客位置情報配信部は、サーバ装置の記憶手段に格納され、読み出して実行するプログラムによって、構成されている。前記各プログラムがサーバ装置において常時実行される本実施例では、旅客情報提供サーバ２は、各ユーザ端末１に常時そのリソースを提供するプレゼンスサーバとして機能することになる。
【００２６】
区間判定処理部は、旅客情報提供サーバ２の図示しない記憶装置に格納されたテーブルを参照して、ユーザ端末が位置する区間を判定する。図２は、上記テーブルの一例を表した図であり、位置情報サーバ３から送信される位置情報に対応する区間情報が格納されている。
【００２７】
位置情報サーバ３は、ＧＰＳや網側からのユーザ端末１の基地局情報等により、各ユーザ端末１の位置情報を取得し、旅客情報提供サーバ２に送信する位置情報取得部を備えるサーバ装置である。上記位置情報サーバ３の図示しない位置情報取得部は、サーバ装置の記憶手段に格納され、読み出して実行するプログラムによって、構成されている。また、配信サーバ４は、ユーザ端末１からの要求に応じて、適宜課金処理を行って、Ｊａｖａ（登録商標）アプリケーションを配布するサーバ装置である。
【００２８】
続いて、本実施例の動作について、図面を参照して、詳細に説明する。図３は、本実施例の動作を説明するためのフローチャートである。まず、ユーザ端末１は、配信サーバ４にアクセスし、配信サーバ４側で、提供されるメニュー画面等に従って、旅客情報サーバ２に対するクライアントとして機能する待受アプリケーションをダウンロードする（ステップＳ００１）。続いて、ユーザ端末１は、ユーザの操作を受けて、旅客情報アプリケーションを起動する（ステップＳ００２）。
【００２９】
ユーザ端末１で起動された旅客情報アプリケーションは、旅客情報の対象となる交通機関の種別に応じた旅客情報の更新ニーズや通信トラヒック、ユーザ端末、各サーバの処理能力等に応じて決定される所定の時間間隔で、旅客情報サーバ２へのアクセスを開始する（ステップＳ００３）。
【００３０】
前記ユーザ端末１からのアクセスを受けた旅客情報サーバ２は、位置情報サーバ３に対して、ＩＤ等によりユーザ端末１を特定して位置情報を照会する（ステップＳ００４）。位置情報サーバ３から位置情報を受信した旅客情報サーバ２は、区間判定処理部により、受信した位置情報に対応する区間情報を求める（ステップＳ００５）。続いて、旅客情報サーバ２は、区間情報をユーザ端末１向けの旅客位置情報として、ユーザ端末１に対して、送信する（ステップＳ００６）。
【００３１】
前記旅客位置情報を受信したユーザ端末１は、すでに表示中の旅客位置情報と同一内容であれば、更新不要と判断し、ステップＳ００３に戻り、所定時間待機する。一方、ユーザ端末が位置するとされた区間に変更が生じたなどの現在表示している旅客位置情報の更新が必要と判定した場合は、ユーザ端末１は、受信した前記旅客位置情報をディスプレイに出力する（ステップＳ００７）。
【００３２】
また上記ステップＳ００７において、必要に応じて、前記旅客位置情報の出力と同時に、着信音の出力、ＬＥＤランプ等の点灯、バイブレータの起動等を行って、ユーザの注意を喚起してもよい。
【００３３】
ユーザ端末１、旅客情報サーバ２、位置情報サーバ３は、以上の処理をユーザ端末１において、待受アプリケーションが終了されるまで、繰り返し行う。また、終了後、待受アプリケーションをユーザ端末１に記憶保持しておけば、次回本サービスを利用する場合において上記ステップＳ００１を省略することが可能である。
【００３４】
上述のとおり、ユーザ（乗客）は、旅客位置情報として表示される所在区間（図１では、現在品川駅＞＞田町駅）を、携帯情報端末上で確認することが可能である。このことは、乗車中に、現在地の確認のために、混雑している車内でその都度振り返るなどのアクションを起こす必要がなくなることを意味する。さらに、常に手元で確認ができるということで、乗り過ごすかもしれないという精神的な不安感を軽減することも可能となる。
【００３５】
また、日常の通勤・通学の場面は、勿論として、旅行・出張の場面における不慣れな場所への移動にあたっても、使い慣れない交通機関の利用への抵抗感を軽減できる。
【００３６】
また、視聴覚に不自由のある者にとっては、従来の車内アナウンスや車内表示は、見え難い、聞きづらい、案内のタイミングが遅すぎる等の問題点を抱えていたが、上記したとおり、本発明は、これら従来の案内サービスの不足部分を補完することが可能である。これらのユーザは、障害の程度に応じて、着信音の発生、文字の大きさの変更、バイブレータの起動との組み合わせ等の出力設定を各自定めることにより、不安の少ない現在地・降車地等の案内サービスを享受することが可能となる。
【実施例２】
【００３７】
続いて、本発明の第２の実施例について、図面を参照して、詳細に説明する。図４は、本実施例のシステム構成を表した図である。図４を参照すると、携帯情報端末として機能するユーザ端末１と、旅客情報提供サーバ２と、位置情報サーバ３とがネットワーク５を介して、接続されている。以下、上記した本発明の第１の実施例と共通する部分は省略して、説明する。
【００３８】
ユーザ端末１は、図示しないＣＰＵを含む制御部と、音声通話、データ送受信、ネットワーク５への接続を行う無線通信部と、ボタン、ディスプレイ、スピーカ、バイブレータ等の入出力部と、前記制御部で実行されるプログラム・データ等を格納する記憶部と、位置情報サーバ３に対して自機の位置情報を照会する位置情報取得部と、を備える携帯電話端末である。本実施例では、ユーザ端末１には、後述する旅客情報サーバへのアクセス機能（上記位置情報取得部に相当）が、内臓プログラムとして携帯電話端末に予め実装されているものとする。
【００３９】
旅客情報提供サーバ２は、ユーザ端末１の位置情報から、ユーザが位置する交通機関の路線上の区間を判定する区間判定処理部と、ユーザ端末１に対して、旅客位置情報を配信する旅客位置情報配信部と、交通機関の各区間の所要時間を含む路線情報を記憶保持する路線情報記憶部と、を備えるサーバ装置である。これら図示しない区間判定処理部、旅客位置情報配信部は、サーバ装置の記憶手段に格納され読み出して実行するプログラムによって、構成されている。また、旅客情報提供サーバ２は、広告コンテンツをその記憶装置に記憶保持し、広告配信サーバとしての機能も有している。
【００４０】
旅客情報提供サーバ２の区間判定処理部は、旅客情報提供サーバ２の図示しない記憶装置に格納されたテーブルを参照して、ユーザ端末が位置する区間と進行方向を判定する。図５は、上記テーブルの一例を表した図であり、位置情報サーバ３から送信される現在の位置情報と、前回の位置情報とで求めることのできる方向付きの区間情報が格納されている。図５を参照すると、例えば、現在の位置情報Ｐｔが「A002」であり、前回取得した位置情報Ｐｔ−１が「A001」であれば、品川から田町に向かっていることを示す「品川＞＝＞田町」との区間情報が得られ、現在の位置情報Ｐｔが「A001」であり、前回取得した位置情報Ｐｔ−１が「A002」であれば、田町から品川に向かっていることを示す「田町＞＝＞品川」との区間情報が得られる。
【００４１】
位置情報サーバ３は、ＧＰＳや網側からのユーザ端末１の基地局情報等により、各ユーザ端末１の位置情報を取得し、ユーザ端末１に送信する位置情報取得部を備えるサーバ装置である。
【００４２】
続いて、本実施例の動作について、図面を参照して、詳細に説明する。図６は、本実施例の動作を説明するためのフローチャートである。まず、ユーザ端末１は、携帯電話端末の付加機能として提供されるメニュー画面等に従って、旅客位置情報出力機能を選択・起動する（ステップＳ１０１）。
【００４３】
前記旅客位置情報出力機能が起動されると、ユーザ端末１は、ユーザに対して目的地の入力画面を表示し、ユーザから目的地と、目的地の２駅前、目的地到着予定時刻−10分等の報知時機（タイミング；報知条件）の入力を受け付ける（ステップＳ１０２）。続いて、ユーザ端末１は、所定の時間間隔で、位置情報サーバ３へのアクセスし、自機の位置情報の監視を開始する（ステップＳ１０３）。
【００４４】
前記位置情報を受信したユーザ端末１は、ユーザ端末の移動によって、前回取得した位置情報との差が所定の条件を満たす場合には、更新必要と判断し、旅客情報サーバ２に対するアクセスを開始し、目的地情報と、位置情報を送信する（ステップＳ１０４）。
【００４５】
ユーザ端末１からのアクセスを受けた旅客情報サーバ２は、区間判定処理部により、ユーザ端末１から受信した位置情報と、前回受信した位置情報に対応する区間情報を求める（ステップＳ１０５）。続いて、旅客情報サーバ２は、路線情報を参照して、ユーザ端末１から受信した目的地情報によって特定される目的地までの所要時間を算出し、更に、旅客位置情報と併せて表示する広告コンテンツ１ｂを含む、ユーザ端末１向けの旅客位置情報を生成し、ユーザ端末１に対して、送信する（ステップＳ１０６）。
【００４６】
ここで、上記目的地までの所要時間の算出方法の一例を説明する。図７は、交通機関の各区間の所要時間を格納した路線情報テーブルの一例を表した図である。図７を参照すると、路線情報テーブルは、区間「品川-田町」の所要時間３分との情報を格納しており、同様に区間「田町-浜松町」の所要時間２分との情報を格納している。図７の路線情報テーブルを参照すれば明らかなとおり、例えば、現在地が「品川」近傍の位置（情報）であり、目的地が「浜松町」であれば、旅客情報サーバ２は、上記各区間の所要時間を積算（累計）して、５分との所要時間を算出する。また例えば、旅客情報サーバ２は、現在地が「品川」を通過して１分経過相当の位置（情報）であれば、４分との所要時間を算出する。またより厳密な計算を行う場合には、現在地に対応する位置（情報）と、内挿法等により求めた１分経過相当の位置（情報）とを照合し、交通機関の遅れ等を考慮したより正確な所要時間を算出することも可能である。また、路線情報テーブルが、交通機関のダイヤ情報と同様に、時刻単位で所要時間を格納している場合には、ユーザ端末側の内臓時計等と照合し、これを補正してもよい。更には、前記ユーザ端末側の内臓時計の時間を加算して到着予定時刻を出力するようにしても良い。
【００４７】
また、路線情報テーブルが交通機関の路線上の各区間ベースでなく、図８に示す如く、位置（情報）間の所要時間ベースで、「A001-A002」間＝３０秒、「A002-A003」間＝２０秒との詳細な情報を格納している場合には、上記区間の所要時間の算出と同様にこれらを積算（累計）することにより、より詳細な所要時間を提供することも可能である。
【００４８】
再度図６を参照すると、前記旅客位置情報を受信したユーザ端末１は、旅客位置情報をディスプレイに出力する（ステップＳ１０７）。なお、本実施例では、旅客位置情報は、区間情報に加え、ユーザの進行方向に関する情報、広告コンテンツ１ｂが、含まれているが、これらを図４に示した如く一画面に同時に出力する必要はなく、例えば、スクロール表示、切り替え表示等により、これらを不可分に併せて表示できればよい。
【００４９】
そして、ユーザ端末１は、位置情報が、ステップＳ１０２で入力した目的地と接近し、上記報知時機（タイミング）が到来した（報知条件が充足した）場合には、バイブレータの起動、着信音の出力等の到着予告動作を行い、ユーザに対して報知する（ステップＳ１０８）。
【００５０】
以上のとおり、本実施例では、目的地や目的地に接近したことを知らせる報知時機（条件）などを事前に登録することとして、乗り過ごし・寝過ごしの機能を付加したものとなっている。勿論、上記報知時機（条件）の登録は、旅行・出張用の一回のみの設定や通勤通学等用の継続的な設定を記憶保持する等の選択を可能とするとともに、乗車後、改札通過後等に事後的に設定可能となるようにしても良い。
【００５１】
また、位置情報ポイント間の距離が求められ、或いは、予め定義されている場合には、例えば、ユーザ端末１側で、各時点の位置情報ポイントの変化の度合いから、ユーザが乗車する車両等の速度変化（減速の度合い）を判定させて、上記した報知時機（条件）と組み合わせ、或いは、単独で、より的確な時機（タイミング）に報知させることも好ましい。より強力にユーザに対する注意を喚起する観点からすれば、この場合の到着予告動作は、上記した目的地との接近による到着予告動作と異なる態様（第２種の到着予告動作）とすることが好ましいといえるが、上記した目的地との接近による到着予告動作と同種の到着予告動作を繰り返しても良い。いずれにしても、乗り過ごし・寝過ごしの防止上、好ましいものとなるばかりか、乗車中の不安感を軽減することで、損なわれていた乗車中の快適性を高め、旅客運送業者の顧客へのサービスの向上にも有用である。
【００５２】
また、本実施例の構成によれば、ユーザ端末１のディスプレイに出力するほか、旅客情報サーバ２或いは他の情報処理装置を介して、電子メールやＳＭＳ（Short  Message  Service）等の形態により、他のユーザ端末６に対して、旅客位置情報を転送すること可能である。例えば、ユーザ端末１の所持者が幼児や高齢者である場合には、他のユーザ端末７に対して、旅客位置情報を転送することで、その保護者や後見人等に、その位置を的確に知らせることが可能である。
【００５３】
更に、本実施例では、ユーザの車中での意識を携帯端末の画面に向けさせることが出来ることに着目し、旅客位置情報に、商品広告・サービス告知・周辺案内などの表示と組み合わせて生成するものとしている。サービスの提供事業者が、これらの広告等の広告主より、広告料を徴収することで、本サービスの提供料を安価に、或いは、無料に設定することも可能である。また、旅客情報サーバ側に、本サービスへの入会時、或いは事後的に収集したユーザの各人の属性（年齢・性別・職業及び場所・時間）を登録しておくこととすれば、これら各人の属性を考慮した選択的な広告の配信も可能となる。
【実施例３】
【００５４】
続いて、本発明の第３の実施例について、図面を参照して、詳細に説明する。図９は、本実施例のシステム構成を表した図である。図９を参照すると、携帯情報端末として機能するユーザ端末１と、コンテンツサーバ６と、他のユーザ端末７とがネットワーク５を介して、接続されている。以下、上記した本発明の第１の実施例と共通する部分は省略して、説明する。
【００５５】
ユーザ端末１は、図示しないＣＰＵを含む制御部と、音声通話、データ送受信、ネットワーク５への接続を行う無線通信部と、ボタン、ディスプレイ、スピーカ、バイブレータ等の入出力部と、前記制御部で実行されるプログラム・データ等を格納する記憶部と、ＧＰＳにより自機の座標情報を取得する位置情報取得部と、自機が位置する交通機関の路線上の区間を判定する区間判定処理部と、を備える携帯電話端末である。本実施例では、更に、ユーザ端末１には、上記した第１、第２の実施例と同様の区間情報を判定するためのテーブルと、交通機関の各区間の運賃情報を含む路線情報とがその記憶部に格納されるとともに、上記位置情報取得部と、区間判定処理部が内臓プログラムとして携帯電話端末に実装されている。
【００５６】
コンテンツサーバ６は、旅客に対するサービスコンテンツを記憶保持して、ユーザ端末１に送信するサーバ装置である。
【００５７】
続いて、本実施例の動作について、図面を参照して、詳細に説明する。図１０は、本実施例の動作を説明するための画面遷移等を表した図である。まず、ユーザ端末１は、携帯電話端末のネットワークのサービスとして提供される路線の検索エンジンにアクセスし、入力画面等に従って、出発地並びに目的地を入力し、検索する（図１０の（ａ）参照）。
【００５８】
続いて、検索結果が返され、ディスプレイ上に表示されると（図１０の（ｂ）参照）、ユーザ端末１は、旅客位置情報提供モードに移行し、上記検索結果を予定ルートとして設定するとともに、位置情報取得部、区間判定処理部を起動する。ここでは、「Ａ駅→Ｂ駅；ａｂｃ線、Ｂ駅→Ｃ駅；ｄｅｆ線」というルートが設定されたものとして、説明する。
【００５９】
続いて、ユーザがＡ駅に向かうと、ユーザ端末１の位置情報取得部を介してＧＰＳによりＡ駅の座標が取得され、ユーザ端末１の区間判定処理部は、Ａ駅の座標と、上述したテーブルの位置情報とを照合し、ユーザがＡ駅に到達したか否かを判定する。
【００６０】
ここで、ユーザがＡ駅に到達したと判定した場合には、ユーザ端末１は、ユーザ端末の背面ディスプレイの所定領域を旅客情報表示専用領域として使用し、旅客位置情報を出力する。図１０の（ｃ）は、旅客位置情報を出力した状態のユーザ端末を表したものであり、区間情報に加えて記憶部に格納された路線情報より算出した料金情報を出力するものとなっている。以降、ユーザ端末１は、同様にして、位置情報取得部を介して位置情報（座標）と、記憶部に備えたテーブルとを利用して、自機が所在する交通機関の路線上の区間を判定し、旅客情報表示専用領域に旅客位置情報とを出力していく（図１０の（ｄ）参照）。
【００６１】
そして、目的地に接近し、ユーザが予め設定する報知条件が満たされると、ユーザ端末１は、図１０の（ｅ）に例示される到着予告メッセージを出力する。
【００６２】
以上、本実施例によれば、ユーザ端末１自体で独立して、旅客位置情報を生成・出力可能であり、上記した第１、第２の実施例で説明したシステムに比して、通信料が安価で済み、また、ネットワークのトラヒックやその他システム環境等からの影響を受けずに、良好なサービスを提供することが可能となる。
【００６３】
なお、本発明の第３の実施例では、始めに検索エンジンを利用して、ユーザのルートを自動設定することによって、目的地の入力や経路の選択を省略するものとして説明したが、ユーザが、既存の路線探索エンジンや運行情報提供サービス等を利用して自らルートを設定してもよく、また、交通機関の利用に際して利用される他の情報処理システム、例えば、ＩＣカードや携帯電話装置で購入可能な券売機端末、駅構内端末等からルート情報を入力するものとしても良いことは勿論である。また、ユーザ端末１は、主としてＧＰＳシステムから位置情報を入手するものとして説明したが、ユーザ端末と通信可能な改札機や駅構内・経路上・車内に設置された無線端末から位置情報を、補助的に入力するものとしても良いことはもちろんである。
【００６４】
また、本実施例の構成によれば、コンテンツサーバ７から、交通機関を運営する旅客運輸業者からのメッセージ１ｃを配信し、ユーザ端末１側でリアルタイムに出力させる例外処理も可能な構成となっている。例えば、図９に示されたように、「運休のお知らせ」を随時配信することが可能であり、そのほか、事故によるダイヤの乱れに関する情報や、マナーへの協力依頼、運休時の振替輸送に関する情報等を、配信することが可能である。
【００６５】
以上、本発明の各実施例を説明したが、本発明は、所定の路線を行き来する交通機関であれば、鉄道、バス、船舶、航空機等に適用することが可能であり、特に交通機関に限定されるものでないことは勿論である。特に、路線バスにおいては、路線や停留所の名称、位置関係や順路等の認知度が低いこととも相俟って、ユーザに的確な位置情報を提供することが可能となるとともに、確実な降車（降車ボタンの押下）をも促すことが可能となる。
【図面の簡単な説明】
【００６６】
【図１】本発明の第１の実施例のシステム構成を表した図である。
【図２】本発明の第１の実施例で用いる区間情報テーブルの一例を表した図である。
【図３】本発明の第１の実施例の動作を表したフローチャートである。
【図４】本発明の第２の実施例のシステム構成を表した図である。
【図５】本発明の第２の実施例で用いる区間情報テーブルの一例を表した図である。
【図６】本発明の第２の実施例の動作を表したフローチャートである。
【図７】本発明の第２の実施例で用いる路線情報テーブルの一例を表した図である。
【図８】本発明の第２の実施例で用いる路線情報テーブルの別の一例を表した図である。
【図９】本発明の第３の実施例のシステム構成を表した図である。
【図１０】本発明の第３の実施例の動作概要と画面の遷移を表した図である。
【符号の説明】
【００６７】
１、６  ユーザ端末
１ａ  旅客位置情報
１ｂ  広告コンテンツ
１ｃ  メッセージ・コンテンツ
２  旅客情報サーバ
３  位置情報サーバ
４  配信サーバ
５  ネットワーク
７  コンテンツサーバ
【図１】
2005215876.tif 000003
【図２】
2005215876.tif 000004
【図３】
2005215876.tif 000005
【図４】
2005215876.tif 000006
【図５】
2005215876.tif 000007
【図６】
2005215876.tif 000008
【図７】
2005215876.tif 000009
【図８】
2005215876.tif 000010
【図９】
2005215876.tif 000011
【図１０】
2005215876.tif 000012